(57)【要約】【課題】テレビジョン等のメディアを介して放送される番組を記録した記録媒体であって、該記録媒体に記録される番組がインタビュー番組でありながらも、従来の番組と大きく形態を変化させることによって、インタビュー番組としての色を抑え、今までにないメディア番組表現の可能性を追求する。【解決手段】オープニング、メイン、エンディングで番組を構成し、メインの映像を出演者の映像４３、該出演者と関わる商品の映像５０及び該商品に関わる風景の映像５１で構成し、これら、出演者の映像４３、商品の映像５０及び商品に関わる映像５１を撮影記録手段２１により記録媒体５８に記録し、メインの音声は出演者がインタビューに答えている最中のものを録音手段２２により記録媒体５９に録音し、これらの記録媒体５８・５９に記録された映像及び音声を編集手段２３によって編集して番組データ９として記録手段２６により記録媒体６０に記録した。【選択図】      図６
2004254231.tif 000002
【特許請求の範囲】
【請求項１】
インタビューされている出演者を撮影した映像情報と、商品を撮影した映像情報と、商品に関係する風景を撮影した映像情報と、オープニング映像情報と、エンディング映像情報と、インタビュー音声情報と、ナレーション音声情報とを記録媒体に記録するとともに、前記各情報を所定の時間に表示し音声を発するように編集して構成した番組を記録したことを特徴とする番組情報の記録媒体。
【請求項２】
前記出演者を撮影した映像情報及び商品を撮影した映像情報の背景は無景とした、請求項１に記載の番組情報の記録媒体。
【請求項３】
前記エンディング映像情報においてメッセージを表示した、請求項１又は請求項２に記載の番組情報の記録媒体。
【発明の詳細な説明】
【０００１】
【発明の属する技術分野】
本発明は、テレビジョン等のメディアを介して放送される番組の内容構成技術に関する。
【０００２】
【従来の技術】
従来、ある人物のインタビュー番組としては、インタビューアが存在し、該インタビューアが出演者に対して様々な問いかけや誘導をして出演者の語りを導き出すという形式のものが多く見受けられる。
【０００３】
【発明が解決しようとする課題】
しかし、インタビュー番組ではインタビューアと出演者という複数の人物が存在し、インタビューをされ、それに答えているという状態が明らかにわかる映像となり、番組内において出演者の表情の細やかな変化や出演者の自由な表現が、インタビュー番組であるという構えから自然と制限されてしまいがちである。
そこで、本発明に係る番組の構成では、インタビュー番組でありながらも、従来のインタビュー番組と大きく形態を変化させることによって、インタビュー番組としての色を抑え、今までにないメディア番組表現の可能性を追求することを図る。
【０００４】
【課題を解決するための手段】
本発明の解決しようとする課題は以上の如くであり、次にこの課題を解決するための手段を説明する。
【０００５】
即ち、請求項１においては、インタビューされている出演者を撮影した映像情報と、商品を撮影した映像情報と、商品に関係する風景を撮影した映像情報と、オープニング映像情報と、エンディング映像情報と、インタビュー音声情報と、ナレーション音声情報とを記録媒体に記録するとともに、前記各情報を所定の時間に表示し音声を発するように編集して構成した番組を記録したものである。
【０００６】
請求項２においては、前記出演者を撮影した映像情報及び商品を撮影した映像情報の背景は無景としたものである。
【０００７】
請求項３においては、前記エンディング映像情報においてメッセージを表示したものである。
【０００８】
【発明の実施の形態】
次に、発明の実施の形態を説明する。
図１は本発明の実施例に係るオープニング映像の一例を示した図、図２は商品の映像の一例を示した図、図３は出演者の映像の一例を示した図、図４は商品に関わる風景の映像の一例を示した図、図５はエンディング映像の一例を示した図である。図６は番組を記録した記録媒体の制作過程及び放送過程を示すブロック図、図７は番組の編集構成を示すブロック図である。
【０００９】
本発明に係る番組は、企業及び該企業の商品のイメージ向上効果のある番組である。該番組はテレビジョン等のメディアを介して定期的（例えば、毎日、毎週、隔週放送等）に放送されるが、同内容のものは反復して放映されないことを特徴としている。但し、該番組を録画したものを各個人で再生したり、各企業内で再生したりすることはこれに含まれない。従って、企業及び該企業の商品のコマーシャルメッセージ番組的な要素を持ちながらも、その紹介される企業及び商品は各回に異なり、一つのインタビュー番組として成立するものである。
【００１０】
番組は各回完結する内容であり、ある商品と該商品に深く関わる出演者を題材とし、一貫して出演者の語りによって内容が進められていくインタビュー番組である。本実施例では、各回の放送時間は９０秒程度のものであるとする。但し、番組の放送時間はこれに限定されない。
【００１１】
次に、番組の構成の一例を、［オープニング］、［メイン］及び［エンディング］に分けて、放送の時間軸に沿って説明する。
【００１２】
［オープニング］
まず、始めに番組のオープニングとしてタイトル４１が表示される。オープニングには、各回に共通する映像（オープニング映像４０）が配置される。但し、オープニング映像４０は複数のパターンを構成して、各回の内容に応じて変更することもできる。
【００１３】
オープニング映像４０には、タイトル４１及び番組のサブタイトル４２を表示する。その他の構成は、番組の内容が商品及び出演者を題材としたインタビュー番組であることを考慮して、その内容より派手な印象を与えることのない程度にシンプルであり、且つ、商品を題材とすることから現代的な印象や工業的な印象を与えること可能な映像を選択する。例えば、技術、発明や閃きを暗示する『豆電球』や『光』等が採用される。
【００１４】
オープニング映像４０に具備されるサブタイトル４２は、タイトル４１よりも番組の内容を判別しやすい文章やキーワードを選択し、視聴者を番組の世界に引き込むことが図られている。
本実施例の９０秒の番組において、オープニングには約１０秒程度の時間が割かれ、開始約５秒後に番組のタイトル４１が表示される。
【００１５】
［メイン］
メインとなる映像（メイン映像）は、商品４９及び該商品４９に深く関わる出演者４４の商品４９に対する姿勢や思い等が映し出される。そして、メイン映像とともに流れる音声は、主に商品４９に関する内容のものであり、出演者４４の声によって表現されるものである。
【００１６】
メイン映像は、商品の映像５０から始まるものと、出演者の映像４３から始まるものとがあり、本実施例では、前者によるものを説明する。
【００１７】
メイン映像として、例えば、図２に示すような商品の映像５０が映し出される。
商品４９は形のある有形の商品４９に限られない。例えば、旅行や保険等のサービスも含まれ、このような無形の商品４９の場合は、該商品４９に関わるもの（例えば、パンフレット等）が商品の映像５０として示される。
商品の映像５０の背景は無景（柄や他の物体が映っていない状態）とし、さらに、商品４９のみをライトアップし背景を光の当たらないやや暗い状態として、このライトアップ効果によって、商品４９のみを浮き立たせるように映されていることを特徴としている。
なお、商品４９は、映される間に視点が変更され、初期の視点から回転したり、あるいは、上下方向に移動したりして、その全形がわかるように映される。
【００１８】
そして、メイン映像において最初にフレームに表示される商品の映像５０には、商品名４８と該商品４９を提供している会社名やその商標等のサービスマーク等５７が付される。これは、商品４９を初めて見る視聴者にも商品４９の提供元や商品名４８をわかるようにして、番組の導入の役割を果たすためである。また、その商品４９の特徴が一見では判断しにくい商品４９は、商品名４８とともに、簡単な商品４９に関する情報を文字等による表現手段で付して、視聴者により容易に商品４９に関する知識を与え、また、番組の内容を容易に判別し理解できるように図られている。
【００１９】
商品の映像５０がある一定時間画面に現れた後、次に、例えば、図３に示すような出演者の映像４３の映像が表示される。
出演者の映像４３も、背景は無景（柄や他の物体が映っていない状態）とし、さらに、出演者４４のみをライトアップし背景を光の当たらないやや暗い状態として、このライトアップ効果によって、出演者４４のみを浮き立たせるように映されていることを特徴としている。
出演者４４は正面又は正面からやや角度有する位置から視点を固定して撮影され、主に胸像であって、特に、出演者４４の表情の変化が視聴者に理解できる程度に画面に出演者４４の顔を中心として映し出されるようにしている。
【００２０】
出演者４４は、商品４９に深く関わる人物である。例えば、デザイナー、製造責任者、発案者、発明者、販売責任者等であり、商品４９に直接関わる立場にあり、そして、商品４９に関わるときの姿で登場する。例えば、製造責任者であれば作業服で、企業の制服があれば制服で、というように日常商品４９に関わるときの姿・格好として、出演者４４と商品４９との関わりを視聴者に印象付けて仕事の雰囲気・商品４９に関する情報等が付加されるとともに、インタビューされている出演者４４が商品４９に対する姿勢や思いを感情に表しやすい状況が作られている。
【００２１】
そして、メイン映像において最初にフレームに表示される出演者の映像４３には、出演者４４の企業での役職等の肩書き４６と、氏名４７が文字等により添えられる。場合によっては、出演者４４の簡易な経歴も添えるようにして、視聴者に商品４９との関連性をわかりやすくしている。
【００２２】
なお、出演者の映像４３は、出演者４４がインタビューされているときに撮影されたものであり、インタビューアに出演者４４がインタビューされているところが撮影されて、そして、インタビューアによる質問等は削除され、実際に放送されるのは出演者４４による受け答え部分としている。
そして、番組の最中に話題の転換があるときには、インタビューアは登場せずに、画面にその内容を文字として表現し、その受け答えをしている出演者の映像４３につなげるようにして、番組に出演する人物を出演者４４一人に絞り、出演者４４と商品４９に視聴者の意識が集中することができるように図られている。また、インタビューアが登場しないことで、いわゆる、インタビュー番組としての色を押さえることも図られている。
【００２３】
出演者４４の語りとして、音声で放送されるものの内容は、主に出演者４４の商品４９に対する拘り・思い・姿勢等であり、メイン映像が流れる間継続される。そして、出演者４４とともに出演者４４の語りが音声として流れることにより、出演者４４の語りとそれに応じた出演者４４の表情の変化とが視聴者に伝わり、視聴者に出演者４４のメッセージをより強く印象付けることができる。
【００２４】
メイン映像の間で映されている対象は、出演者４４、商品４９又は商品４９に関わる風景の間で切り替わり、メイン映像のうち最初に商品４９が現れた映像にはナレータによって商品４９に関する説明がナレーションされる。なお、「商品４９に関わる風景」とは、例えば、図４に示されるような、商品４９の使用状況、製造現場や施工現場等の映像である。
【００２５】
出演者の映像４３、商品の映像５０又は商品に関わる風景の映像５１が、メイン映像の中で切り替わって現れるが、出演者の映像４３及び商品の映像５０は背景及びライティング効果を統一することによって、番組に統一感を持たせており、商品に関わる風景の映像５１はこれらとは異なった雰囲気を持つ映像として、出演者の映像４３と商品の映像５０の間に介在されるアクセント的な役割を果たすように配置されている。
【００２６】
［エンディング］
メイン映像のあと、例えば、図５に示すエンディング画像５２のように、番組の最後部分には、出演者の映像４３又は商品の映像５０が映し出され、ここに、時差を付けて、出演者４４からの言葉や商品４９に関するキーワード等のメッセージ５３を、文字として表現したものが現れ、さらに、時差を付けて、番組の提供者及び製作会社の名称又はサービスマーク等５４・５５がフレームの四隅のいずれかに示される。最後にメッセージ５３を添えることで、視聴者に対して問いかけることになり、番組の余韻を番組終了後まで残すことができるようにしている。
なお、本実施例の９０秒の番組では、エンディングを５秒程度とし、終了４秒前にメッセージ５３を、３秒前に番組の提供者及び製作会社の名称又はサービスマーク等５４・５５を表示し、出演者４４による語りは、終了２秒前まで継続され、最後の２秒間は無音声として、視聴者に対し番組の余韻を残せるようにしている。
【００２７】
上述の如く構成される番組は、視聴者に対して、ある商品４９と出演者４４である該商品４９に関わる一人の人物をテーマとして、主に出演者４４の言葉を伝達するように構成されているが、視聴者は、番組の内容から、その個人に対するイメージよりも、商品４９そして、該商品４９を提供する企業のイメージを大きく受けることとなる。
【００２８】
これは、番組の内容を構成する商品４９として、ある基準以上の高度な技術を要するもの、時事的なもの、あるいは、視聴者の多くが知っているであろうものを採用し、番組を視聴するまでは商品４９を知らなかった或いは商品４９は知っているがその提供元を知らなかったという視聴者に対しても、興味を持つ方向に誘導し、ライティング効果やこの番組に独特な構成によって視聴者を番組の世界に引き込むことができるよう図られているためである。
【００２９】
また、映像の中心として出演者４４をおき、該出演者４４の表情を追うカメラワークによって、出演者４４の表情が印象付けられ、出演者４４の商品４９に対する思いを視聴者に同調させることによって、視聴者の商品４９に対するイメージを向上させることができるよう図られているためである。
【００３０】
図６及び図７に示す如く、番組は主に製作会社２７によって製作される。
製作会社２７では、商品の映像５０、出演者の映像４３及び商品に関わる風景の映像５１が撮影され、これらが撮影データ１５として記録媒体に記録され、また、出演者４４の音声が録音され、これが音声データ１６として記録媒体に記録され、該撮影データ１５及び音声データ１６が編集されて、記録手段によって記録媒体に番組データ９として記録される。
そして、該記録媒体がテレビ局等のメディアの放送局２９に持ち込まれ、該放送局２９において送信手段２８により電波等を介して流された情報が、各テレビジョン３０の受信手段３１によって受け取られ、映像処理手段３２により映像処理されて、テレビジョン３０のディスプレィ３３に表示される。このようにして、番組データ９の内容がメディアを介して公衆に向けて放送されることとなる。
【００３１】
［撮影データ］
前記撮影データ１５として、出演者の映像４３、商品の映像５０及び商品に関わる風景の映像５１が撮影される。これらの撮影データ１５は撮影記録手段２１によって撮影とともに記録媒体５８に記録される。
【００３２】
出演者の映像４３は、インタビューイが出演者４４であり映像には登場しないインタビューアによるインタビューに応じている場面が撮影されたものである。出演者の映像４３は、背景は無景として暗くし、出演者４４のみに光を当てて撮影し、演者が浮かび上がるようにフレームに映し出されるものとし、出演者４４の表情の変化を容易に読みとることができるように、フレームの略中心に出演者４４の顔が配置されるようにする。
【００３３】
商品の映像５０は、背景は無景として商品４９が映される部分と比較して暗く或いは明るくし、商品４９のみに光を当てて撮影し、商品４９が浮かび上がるように、また、商品４９に意識が集中するようにフレームに映し出されるものとし、同一の倍率で視点を回転させるものや、同一の視点からズームイン或いはズームアウトさせるもの等の映像が撮影される。出演者の映像４３と商品の映像５０の背景及びライティング手法はいずれも同様として、統一感を持たせる。
【００３４】
商品に関わる風景の映像５１は、出演者４４が直接商品４９と関わっている姿であったり、商品４９の使用例であったりして、商品４９についての情報を付加するためのものである。上記商品の映像５０や出演者の映像４３と異なり、商品に関わる風景の映像５１は背景及びライティング効果を限定しない。但し、出演者４４及び商品４９に関する情報以外のものは排除されている。
【００３５】
［音声データ］
前記音声データ１６は、出演者の映像４３の撮影時にインタビューの場面のものを録音手段２２によって記録媒体に録音したものである。その他、ナレータによるナレーション部分の音声データ１６も記録媒体５９に録音される。
【００３６】
［番組データ］
編集手段２３により、上述の如く撮影して記録媒体５８・５９に記録された撮影データ１５及び音声データ１６が編集されて映像データ１９及び音データ２０とされ、これに、フレームに表示される出演者４４の名前やメッセージ等の文字データ８が加えられて、映像信号処理手段２４を介してデータ状態としたものが番組データ９として記録手段２６によって記録媒体６０に記録される。
【００３７】
オープニングの映像は、各回同一のものを使用し、これは予めオープニング映像データ１７及びオープニング音声データ１８として用意されている。従って、メインとエンディングの部分を、各回別に編集し、最終的にオープニングの映像と併せて番組データ９として記録媒体に記録される。
メイン及びエンディングには、前記撮影データ１５が使用される。まず、メイン及びエンディングの放送時間にあわせて出演者の映像４３が編集される。そして、放送時間内に収まるよう編集された出演者の映像４３に、商品の映像５０及び商品に関わる風景の映像５１が挿入される。挿入される映像は、出演者の映像４３における話題の転換点や商品４９の形状や状態、様子に関する内容の話題が出た点等に挿入されて、映像に繋がりを持たせ、また、商品４９の様子を的確に視聴者に伝えることができるようにしている。そして、番組において、出演者の映像４３が表示される時間と、商品４９及び商品に関わる風景の映像５１が表示される時間とが略等しくなるようバランスが計算されている。このように、出演者の映像４３に商品の映像５０及び商品に関わる風景の映像５１を挿入して映像データ１９が作成される。
【００３８】
音声データ１６は、主に編集された出演者の映像４３に対応する部分が採用され、編集されて音データ２０となる。なお、最初に商品の映像５０が挿入される場面で、連続する出演者４４の語りにナレーション１４が介挿される。ナレーション１４の内容は主に商品４９に関する説明であり、商品４９がフレームに表示されているときにナレーション１４を流すことで、視聴者がより商品４９に関する理解を深めることが容易となるようにしている。
【００３９】
上述の如く編集されたメイン及びエンディングの映像データ１９とオープニングの映像データ１９が連結され、メイン及びエンディングの音データ２０とオープニングの音データ２０が連結され、さらに、映像データ１９、音データ２０及び文字データ８が結合されて番組データ９となる。番組データ９は記録媒体６０に記録される。
【００４０】
【発明の効果】
本発明は、以上のように構成したので、以下に示すような効果を奏する。
【００４１】
即ち、請求項１に示す如く、インタビューされている出演者を撮影した映像情報と、商品を撮影した映像情報と、商品に関係する風景を撮影した映像情報と、オープニング映像情報と、エンディング映像情報と、インタビュー音声情報と、ナレーション音声情報とを記録媒体に記録するとともに、前記各情報を所定の時間に表示し音声を発するように編集して構成した番組を記録したので、人物と商品とを主題として視聴者に対し商品及び商品を提供する企業のイメージを向上させることができる。また、インタビュー番組でありながらも人物がインタビューされているという雰囲気を感じさせない番組とすることができる。
【００４２】
請求項２に示す如く、前記出演者を撮影した映像情報及び商品を撮影した映像情報の背景は無景としたので、画像の中でも出演者と商品とが強調されて、また、これらの画像に統一感を持たせることができる。
【００４３】
請求項３に示す如く、前記エンディング映像情報においてメッセージを表示したので、視聴者に番組終了後も番組の余韻を残すことができる。
【図面の簡単な説明】
【図１】本発明の実施例に係るオープニング映像の一例を示した図。
【図２】商品の映像の一例を示した図。
【図３】出演者の映像の一例を示した図。
【図４】商品に関わる風景の映像の一例を示した図。
【図５】エンディング映像の一例を示した図。
【図６】番組を記録した記録媒体の制作過程及び放送過程を示すブロック図。
【図７】番組の編集構成を示すブロック図。
【符号の説明】
４３  出演者の映像
４４  出演者
４９  商品
５０  商品の映像
５１  商品に関わる風景の映像
５３  メッセージ
５８・５９・６０  記録媒体
【図１】
2004254231.tif 000003
【図２】
2004254231.tif 000004
【図３】
2004254231.tif 000005
【図４】
2004254231.tif 000006
【図５】
2004254231.tif 000007
【図６】
2004254231.tif 000008
【図７】
2004254231.tif 000009